【手続補正書】
【提出日】平成19年11月7日(2007.11.7)
【手続補正１】
【補正対象書類名】明細書
【補正対象項目名】特許請求の範囲
【補正方法】変更
【補正の内容】
【特許請求の範囲】
【請求項１】  （ａ）ポリエステルと、（ｂ）酸性染色性を向上させるのに効果的な量の、（ｉ）トリアミンを含む第２級アミンまたは第２級アミンの塩ユニットおよび（ｉｉ）１つまたは複数の他のモノマーおよび／またはポリマーユニットから調製されるポリマー添加剤とを含むことを特徴とする酸性染色性ポリエステル組成物。
【請求項２】  前記ポリマー添加剤が、ポリ−イミノ−ビスアルキレン−テレフタルアミド、ポリ−イミノ−ビスアルキレン−イソフタルアミドおよびポリ−イミノ−ビスアルキレン−１，６−ナフタルアミドおよびそれらの塩からなる群から選択されるポリアミドであることを特徴とする請求項１に記載の酸性染色性ポリエステル組成物。
【請求項３】  前記ポリアミドが、以下の式：
【化１】
2003514092.tif 000001
（式中、ＡまたはＢは同一または別個であってもよく、脂肪族または芳香族置換基から選択され、ｎは３〜３０であり、ａは１〜２０であり、およびｂは１〜２０である）
を有する化合物を含むことを特徴とする請求項２に記載の酸性染色性ポリエステル組成物。
【請求項４】  前記ポリアミドが、以下の式：
【化２】
2003514092.tif 000002
（式中、ｎは３〜３０であり、ａは３〜２０であり、およびｂは３〜２０である）
を有する化合物を含むことを特徴とする請求項２に記載の酸性染色性ポリエステル組成物。
【請求項５】  前記ポリアミドが、以下の式：
【化３】
2003514092.tif 000003
（式中、ｎは３〜３０である）
に従う反復ユニットを有するポリ（６，６’−イミノ−ビスヘキサメチレンテレフタルアミド）であることを特徴とする請求項２に記載の酸性染色性ポリエステル組成物。
【請求項６】  前記ポリエステルはポリトリメチレンテレフタレートであることを特徴とする請求項１から５のいずれかに記載の酸性染色性ポリエステル組成物。
【請求項７】  前記ポリエステル組成物に基づいて、約０．５モル％〜約１５モル％の前記第２級アミンユニットを含むことを特徴とする請求項１から６のいずれかに記載の酸性染色性ポリエステル組成物。
【請求項８】  繊維の形態であることを特徴とする請求項１から７のいずれかに記載のポリエステル組成物。
【請求項９】  複合繊維の形態であることを特徴とする請求項８に記載のポリエステル組成物。
【請求項１０】  フィルムまたはフィルム層の形態であることを特徴とする請求項１から７のいずれかに記載のポリエステル組成物。
【請求項１１】  請求項１から１０のいずれかのポリエステル組成物を酸性染色することによって調製されることを特徴とする酸性染色されたポリエステル組成物。
【請求項１２】  （ａ）請求項１から１０のいずれかのポリエステル組成物を提供する工程と、（ｂ）該組成物を酸性染色する工程とを含むことを特徴とする方法。
【請求項１３】  （ａ）ポリエステルと、（ｂ）酸性染色性を向上させるのに効果的な量の、（ｉ）トリアミンを含む第２級アミンまたは第２級アミンの塩ユニットおよび（ｉｉ）１つまたは複数の他のモノマーおよび／またはポリマーユニットから調製されるポリマー添加剤とを反応させることによって調製されることを特徴とするブロックコポリマー。
【請求項１４】  前記ポリマー添加剤が、ポリ−イミノ−ビスアルキレン−テレフタルアミド、ポリ−イミノ−ビスアルキレン−イソフタルアミドおよびポリ−イミノ−ビスアルキレン−１，６−ナフタルアミドおよびそれらの塩からなる群から選択されるポリアミドであることを特徴とする請求項１３に記載のブロックコポリマー。
【請求項１５】  前記ポリアミドが、以下の式：
【化４】
2003514092.tif 000004
（式中、ＡまたはＢは同一または別個であってもよく、脂肪族または芳香族置換基から選択され、ｎは３〜３０であり、ａは１〜２０であり、およびｂは１〜２０である）
を有する化合物を含むことを特徴とする請求項１４に記載のブロックコポリマー。
【請求項１６】  前記ポリアミドが、以下の式：
【化５】
2003514092.tif 000005
（式中、ｎは３〜３０であり、ａは３〜２０であり、およびｂは３〜２０である）
を有する化合物を含むことを特徴とする請求項１４に記載のブロックコポリマー。
【請求項１７】  前記ポリアミドが、以下の式：
【化６】
2003514092.tif 000006
（式中、ｎは３〜３０である）
に従う反復ユニットを有するポリ（６，６’−イミノ−ビスヘキサメチレンテレフタルアミド）であることを特徴とする請求項１４に記載のブロックコポリマー。
【請求項１８】  前記ポリエステルはポリトリメチレンテレフタレートであることを特徴とする請求項１３から１７のいずれかに記載のブロックコポリマー。
【請求項１９】  前記ポリエステル組成物に基づいて、約０．５モル％〜約１５モル％の前記第２級アミンユニットを含むことを特徴とする請求項１３から１８のいずれかに記載のブロックコポリマー。
【請求項２０】  繊維の形態であることを特徴とする請求項１３から１９のいずれかに記載のブロックコポリマー。
【請求項２１】  複合繊維の形態であることを特徴とする請求項２０に記載のブロックコポリマー。
【請求項２２】  フィルムまたはフィルム層の形態であることを特徴とする請求項１３から１９のいずれかに記載のブロックコポリマー。
【請求項２３】  請求項１３から２２のいずれかのポリエステル組成物を酸性染色することによって調製されることを特徴とする酸性染色されたポリエステル組成物。
【請求項２４】  （ａ）請求項１３から２２のいずれかの酸性染色性ブロックコポリマーを提供する工程と、（ｂ）前記ブロックコポリマーを酸性染色する工程とを含むことを特徴とする方法。
【請求項２５】  （１）ポリアルキレンテレフタレート、ポリアルキレンナフタレートまたはポリアルキレンイソフタレートと、（ｉ）トリアミンを含む第２級アミンまたは第２級アミンの塩ユニットおよび（ｉｉ）１つまたは複数の他のモノマーおよび／またはポリマーユニットから調製されるポリマー添加剤を化合させる工程と、
（２）配合物を形成するのに十分な温度で前記ポリマー添加剤と前記ポリアルキレンテレフタレートとを混合および加熱する工程と、
（３）前記配合物を成形して造形品にする工程と
を含むことを特徴とする酸性染色性ポリエステル組成物を調製するための方法。
【請求項２６】  前記ポリマー添加剤が、テレフタレートまたはナフタレンジカルボキシレートと、トリアミンとを化合させることによって調製されるイミン基を有するポリアミドであることを特徴とする請求項２５に記載の方法。
【請求項２７】  前記ポリマー添加剤が、ポリ−イミノ−ビスアルキレン−テレフタルアミド、ポリ−イミノ−ビスアルキレン−イソフタルアミドおよびポリ−イミノ−ビスアルキレン−１，６−ナフタルアミドおよびそれらの塩からなる群から選択されるポリアミドであることを特徴とする請求項２５に記載の方法。
【請求項２８】  前記ポリアミドが、以下の式：
【化７】
2003514092.tif 000007
（式中、ＡまたはＢは同一または別個であってもよく、脂肪族または芳香族置換基から選択され、ｎは３〜３０であり、ａは１〜２０であり、およびｂは１〜２０である）
を有する化合物を含むことを特徴とする請求項２７に記載の方法。
【請求項２９】  前記ポリアミドが、以下の式：
【化８】
2003514092.tif 000008
（式中、ｎは３〜３０であり、ａは３〜２０であり、およびｂは３〜２０である）
を有する化合物を含むことを特徴とする請求項２７に記載の方法。
【請求項３０】  前記ポリアミドが、以下の式：
【化９】
2003514092.tif 000009
（式中、ｎは３〜３０である）
に従う反復ユニットを有するポリ（６，６’−イミノ−ビスヘキサメチレンテレフタルアミド）であることを特徴とする請求項２７に記載の方法。
【請求項３１】  前記ポリエステルはポリトリメチレンテレフタレートであることを特徴とする請求項２５から３０のいずれかに記載の方法。
【請求項３２】  以下の式：
【化１０】
2003514092.tif 000010
（式中、ＡまたはＢは同一または別個であってもよく、脂肪族または芳香族置換基から選択され、ｎは３〜３０であり、ａは３〜２０であり、およびｂは３〜２０である）
を有することを特徴とする化合物。
【請求項３３】  以下の式：
【化１１】
2003514092.tif 000011
（式中、ｎは３〜３０である）
に従う反復ユニットを有するポリ（６，６’−イミノ−ビスヘキサメチレンテレフタルアミド）であることを特徴とする請求項３２に記載の化合物。
【手続補正２】
【補正対象書類名】明細書
【補正対象項目名】０１４３
【補正方法】変更
【補正の内容】
【０１４３】
本発明の実施態様の以上の開示を、例示および記載の目的にために提供した。それは網羅的であることも、開示された明確な形態に制限することも意図するものではない。上記の開示を考慮する本明細書に記載される実施態様の多くのバリエーションおよび改良は、当業者に対し明白である。本発明の範囲は、この点に関して添付された特許請求の範囲およびそれらと均等物によってのみ定義されるべきである。
以下に、本発明の好ましい態様を示す。
［１］  （ａ）ポリエステルと、（ｂ）酸性染色性を向上させるのに効果的な量の第２級アミンまたは第２級アミンの塩とを含むことを特徴とする酸性染色性ポリエステル組成物。
［２］  （ａ）ポリエステルと、
（ｂ）（ｉ）トリアミンを含む第２級アミンまたは第２級アミンの塩ユニットおよび（ｉｉ）１つまたは複数の他のモノマーおよび／またはポリマーユニットから調製されるポリマー添加剤と
を溶融混合することによって調製されることを特徴とする［１］に記載の酸性染色性ポリエステル組成物。
［３］  （ａ）ポリエステルと、
（ｂ）ポリ−イミノ−ビスアルキレン−テレフタルアミド、ポリ−イミノ−ビスアルキレン−イソフタルアミドおよびポリ−イミノ−ビスアルキレン−１，６−ナフタルアミドおよびそれらの塩からなる群から選択されるポリアミドと
を溶融混合することによって調製されることを特徴とする［１］に記載の酸性染色性ポリエステル組成物。
［４］  （ａ）ポリエステルと、
（ｂ）（ｉ）トリアミンを含む第２級アミンユニットまたは第２級アミンの塩ユニットと、（ｉｉ）１つまたは複数の他のモノマーおよび／またはポリマーユニットと
を含むことを特徴とする配合物。
［５］  （ａ）ポリエステルと、
（ｂ）ポリ−イミノ−ビスアルキレン−テレフタルアミド、ポリ−イミノ−ビスアルキレン−イソフタルアミド、およびポリ−イミノ−ビスアルキレン−１，６−ナフタルアミドおよびそれらの塩からなる群から選択されるポリアミドと
を含むことを特徴とする配合物。
［６］  前記ポリアミドが、以下の式：
【化１２】
2003514092.tif 000012
（式中、ＡまたはＢは同一または別個であってもよく、脂肪族または芳香族置換基から選択され、ｎは３〜３０であり、ａは１〜２０であり、およびｂは１〜２０である）
を有する化合物を含むことを特徴とする［３］に記載の酸性染色性ポリエステル組成物または［５］に記載の配合物。
［７］  前記ポリアミドが、以下の式：
【化１３】
2003514092.tif 000013
（式中、ｎは３〜３０であり、ａは３〜２０であり、およびｂは３〜２０である）
を有する化合物を含むことを特徴とする［３］に記載の酸性染色性ポリエステル組成物または［５］に記載の配合物。
［８］  前記ポリアミドが、以下の式：
【化１４】
2003514092.tif 000014
（式中、ｎは３〜３０である）
に従う反復ユニットを有するポリ（６，６’−イミノ−ビスヘキサメチレンテレフタルアミド）であることを特徴とする［３］に記載の酸性染色性ポリエステル組成物または［５］に記載の配合物。
［９］  前記ポリエステルはポリトリメチレンテレフタレートであることを特徴とする［１］〜［３］または［６］〜［８］に記載の酸性染色性ポリエステル組成物。
［１０］  前記ポリエステル組成物に基づいて、約０．５モル％〜約１５モル％の前記第２級アミンユニットを含むことを特徴とする［１］〜［３］または［６］〜［９］に記載の酸性染色性ポリエステル組成物。
［１１］  繊維の形態であることを特徴とする［１］〜［３］または［６］〜［１０］のいずれかに記載のポリエステル組成物。
［１２］  複合繊維の形態であることを特徴とする［１１］に記載のポリエステル組成物。
［１３］    フィルムまたはフィルム層の形態であることを特徴とする［１］〜［３］または［６］〜［１０］に記載のポリエステル組成物。
［１４］  ［１］〜[３］または［６］〜［１０］の組成物を染色することによって調製されることを特徴とする酸性染色されたポリエステル組成物。
［１５］  （ａ）［１］〜［３］および［４］〜［１０］のいずれかのポリエステル組成物を提供する工程と、（ｂ）該組成物を酸性染色する工程とを含むことを特徴とする方法。
［１６］  以下の式：
【化１５】
2003514092.tif 000015
（式中、ＡまたはＢは同一または別個であってもよく、脂肪族または芳香族置換基から選択され、ｎは３〜３０であり、ａは３〜２０であり、およびｂは３〜２０である）
を有することを特徴とする化合物。
［１７］  （１）ポリアルキレンテレフタレート、ポリアルキレンナフタレートまたはポリアルキレンイソフタレートと、第２級アミンユニットを含むポリマー添加剤を化合させる工程と、
（２）配合物を形成するのに十分な温度で前記ポリマー添加剤と前記ポリアルキレンテレフタレートとを混合および加熱する工程と、
（３）前記配合物を成形して造形品にする工程と
を含むことを特徴とする［１］〜［３］および［４］〜［１０］に記載の酸性染色性ポリエステル組成物を調製するための方法。